(57)【要約】【課題】視聴者よりも大きな画面に映像を投影した場合に、操作対象となる位置を示すアイコンの小ささによって操作性が悪化することを防止できる画像表示システムを実現する。【解決手段】画像表示システムは、操作対象となる位置を示すアイコンを含む画像を表す画像データを出力する画像データ出力装置と、前記画像データが入力され、前記画像を表示する画像表示装置と、前記画像の一部であり、かつ前記アイコンを含む部分画像を表す部分画像データを前記画像データから生成する画像データ処理装置と、前記部分画像データが入力され、前記部分画像を表示する部分画像表示装置と、を有する。【選択図】図１
2010217966.tif 000002
【特許請求の範囲】
【請求項１】
操作対象となる位置を示すアイコンを含む画像を表す画像データを出力する画像データ出力装置と、
前記画像データが入力され、前記画像を表示する画像表示装置と、
前記画像の一部であり、かつ前記アイコンを含む部分画像を表す部分画像データを前記画像データから生成する画像データ処理装置と、
前記部分画像データが入力され、前記部分画像を表示する部分画像表示装置と、を有することを特徴とする画像表示システム。
【請求項２】
請求項１に記載の画像表示システムにおいて、
前記画像データ処理装置は、前記画像データ出力装置から出力された前記画像データ内における前記アイコンの相対位置情報に基づき、前記アイコンを含む前記部分画像データを生成することを特徴とする画像表示システム。
【請求項３】
請求項２に記載の画像表示システムにおいて、
前記画像データ処理装置は、前記画像データから前記アイコンの前記画像データ内における相対位置を中心とした前記部分画像データを生成することを特徴とする画像表示システム。
【請求項４】
請求項１〜３のいずれか一項に記載の画像表示システムにおいて、
前記画像データ出力装置は、前記画像表示装置に前記画像データを出力する第一の画像データ出力端子と、前記部分画像表示装置に前記部分画像データを出力する第二の画像データ出力端子と、を有することを特徴とする画像表示システム。
【請求項５】
請求項１〜４のいずれか一項に記載の画像表示システムにおいて、
前記画像データ処理装置は、前記画像データから生成する前記部分画像データの解像度を変更可能に構成されていることを特徴とする画像表示システム。
【請求項６】
請求項１〜５のいずれか一項に記載の画像表示システムにおいて、
前記画像データ処理装置は、前記画像データから生成する前記部分画像データの解像度に応じて前記アイコンの解像度を変えることを特徴とする画像表示システム。
【請求項７】
請求項１〜６のいずれか一項に記載の画像表示システムにおいて、
前記画像表示装置はプロジェクターであり、
前記部分画像表示装置はディスプレー装置であることを特徴とする画像表示システム。
【請求項８】
操作対象となる位置を示すアイコンを含む画像を表す画像データから、前記画像の一部であり、かつ前記アイコンを含む部分画像を表す部分画像データを生成することを特徴とする画像データ処理装置。
【請求項９】
請求項８に記載の画像データ処理装置において、
前記部分画像データは前記部分画像を表示する部分画像表示装置に入力され、
前記部分画像表示装置の持つ表示可能な画素数に応じて、前記部分画像データを拡大または縮小処理することにより前記部分画像表示装置の持つ表示可能な画素数と一致する前記部分画像データを生成することを特徴とする画像データ処理装置。
【発明の詳細な説明】
【技術分野】
【０００１】
本発明は画像表示システム、画像表示システムに用いられる画像データ処理装置に関する。
【背景技術】
【０００２】
プロジェクターは投影面積をある程度自由に調節することが可能である。大画面での会議などで使用する場合には、十分に大きく投影するとともに、使用者も画面から離れて操作することが想定される。一方でプロジェクターは近年、高解像度化が進んでいる。同じ投影面積であってもより解像度が高いほど、一画素辺りの大きさが小さくなるために詳細な部分まで表示ができ、大画面でのプレゼンテーションに適していると言える。
【０００３】
従来、このような大画面投影時の操作においても、通常の利用形態と同じくユーザー操作はマウスのアイコンを基準に行う場合や、プレゼンテーションの手法としてレーザーポインターを使用することが一般的であった。
【０００４】
たとえば特許文献１に示された手法では大画面でのポインティングデバイスとしてレーザーポインターを使用する場合に起こりうる手ぶれを防止する手段として、赤外線などの不可視光でポインティングを行い、それを検出して画面に表示している。その際想定される範囲での微小な動作を無視することによって手ぶれを防止して快適な表示を行っている。
【先行技術文献】
【特許文献】
【０００５】
【特許文献１】特開平７−３１９６１６号公報
【発明の概要】
【発明が解決しようとする課題】
【０００６】
前述した特許文献１に開示された技術を用いることで、大画面であっても快適なポインティングを行うことが可能であるが、ユーザー操作を同じポインティングデバイスで行おうとした場合には微小な位置の調整が行えないため、操作が困難となる。
通常のマウスを使用する手法では微小な操作は快適に行うことが可能であるが、大画面かつ高解像度の場合には、投影面の遠方から微小な位置を視認して操作を行うことがそもそも困難であるという問題があった。
【課題を解決するための手段】
【０００７】
本発明は、上記課題の少なくとも一つを解決するように、以下の適用例または形態として実現され得る。
【０００８】
〔適用例１〕本適用例に記載の画像表示システムは、操作対象となる位置を示すアイコンを含む画像を表す画像データを出力する画像データ出力装置と、前記画像データが入力され、前記画像を表示する画像表示装置と、前記画像の一部であり、かつ前記アイコンを含む部分画像を表す部分画像データを前記画像データから生成する画像データ処理装置と、前記部分画像データが入力され、前記部分画像を表示する部分画像表示装置と、を有することを特徴とする。
【０００９】
本適用例の画像表示システムによれば、ユーザーの操作に応じてデータが変化する画像データを表示する画像表示装置に加え、前記画像データの中からユーザーの操作対象となる位置を示すアイコンを含む部分画像が別の画像表示装置に表示される。これによりユーザーは大画面に表示されたアイコンを探しながら操作を行うことなく、アイコンを含む部分画像が表示されている画像表示装置を見ながら操作を行うことでアイコンを見失うことなく操作を行うことができる。
【００１０】
〔適用例２〕上記適用例に記載の画像表示システムにおいて、前記画像データ処理装置は、前記画像データ出力装置から出力された前記画像データ内における前記アイコンの相対位置情報に基づき、前記アイコンを含む前記部分画像データを生成することが好ましい。
【００１１】
このように、投影画像の中からアイコンの位置を検出し、その位置を含む画像を投影画像から切り出して、画像全体を投影している画像データ出力装置とは別の表示装置に表示することで、大画面かつ高解像度な映像を提供しながらも、通常のディスプレーを見ながら操作している場合の利便性を維持することができる。これにより、画像表示システム上での表示内容を簡単に変化させられる。
【００１２】
〔適用例３〕上記適用例に記載の画像表示システムにおいて、前記画像データ処理装置は、前記画像データから前記アイコンの前記画像データ内における相対位置を中心とした前記部分画像データを生成することが好ましい。
【００１３】
このように、アイコンの位置が常に部分画像の中心に来るような部分画像を表示することによって、高解像度な画像データの中で現在の操作対象がどこにあるのかを容易に判断することができる。また、全体の画像データが投影されているスクリーン上の映像と比較することで、画像データ中から操作対象としたい領域へとアイコンを動かすことが簡単に実施できる。
【００１４】
〔適用例４〕上記適用例に記載の画像表示システムにおいて、前記画像データ出力装置は、前記画像表示装置に前記画像データを出力する第一の画像データ出力端子と、前記部分画像表示装置に前記部分画像データを出力する第二の画像データ出力端子と、を有することが好ましい。
【００１５】
このように、通常の画像出力装置と画像表示装置によって構成される画像表示システムとは別の映像伝送経路で、部分画像を生成および表示することによって、画像表示装置に影響を与えることなく発明の目的を達成することができる。
また、画像出力装置内におけるプログラムとして部分画像生成を行う機能を実現し、部分画像データを画像出力装置の別の映像出力系統から情報を出力することで、特別な装置を使用することなく本適用例を実施することができる。
【００１６】
〔適用例５〕上記適用例に記載の画像表示システムにおいて、前記画像データ処理装置は、前記画像データから生成する前記部分画像データの解像度を変更可能に構成されていることが好ましい。
【００１７】
このように、ユーザーの操作に応じて部分画像の解像度を変化させることによって、微細な部分を見たい場合には部分画像表示装置の１画素と画像表示装置の１画素を対応付けすることで詳細な表示を、全体の中での位置関係を見たい場合には例えば部分画像表示装置の１画素と画像表示装置の多数の画素を対応付けすることで外観を表示するといった、用途に応じた操作が可能となる。
【００１８】
〔適用例６〕上記適用例に記載の画像表示システムにおいて、前記画像データ処理装置は、前記画像データから生成する前記部分画像データの解像度に応じて前記アイコンの解像度を変えることが好ましい。
【００１９】
この画像表示システムは、部分画像を生成する際に、解像度に応じてアイコンに相当する画像のサイズを変化させる。これにより、高い解像度の部分画像を表示する場合にはアイコンに相当する画像のサイズを大きくすることで、実際に部分画像表示装置上でユーザーが見るアイコンの物理的な大きさを一定にするような表示が可能となる。この大きさを一定にすることで、部分画像表示装置上に表示される情報量が多すぎるためにアイコンを見失うことを防止する効果が得られる。
【００２０】
〔適用例７〕上記適用例に記載の画像表示システムにおいて、前記画像表示装置はプロジェクターであり、前記部分画像表示装置がディスプレー装置であることが好ましい。
このように、画像表示装置がプロジェクターであることにより、本適用例の画像表示システムは多数のユーザーが大画面で同じ内容を視聴する画像表示システムとなり、部分画像表示装置が液晶モニター等のディスプレー装置であることにより、一人もしくは数人のオペレーターがディスプレー装置とプロジェクターの投影面を比較することで大画面の中からアイコンの存在する位置を素早く認識するとともに正確に操作することができる。
【００２１】
〔適用例８〕本適用例に記載の画像データ処理装置は、操作対象となる位置を示すアイコンを含む画像を表す画像データから、前記画像の一部であり、かつ前記アイコンを含む部分画像を表す部分画像データを生成することを特徴とする。
【００２２】
このような画像データ処理装置では、部分画像データは部分画像を表示する部分画像表示装置に入力され、部分画像データを拡大または縮小することにより部分画像表示装置の持つ表示可能な画素数と一致する部分画像データを生成することが好ましい。
【００２３】
〔適用例９〕上記適用例に記載の画像データ処理装置において、前記部分画像データは前記部分画像を表示する部分画像表示装置に入力され、前記部分画像表示装置の持つ表示可能な画素数に応じて、前記部分画像データを拡大または縮小処理することにより前記部分画像表示装置の持つ表示可能な画素数と一致する前記部分画像データを生成することが好ましい。
【図面の簡単な説明】
【００２４】
【図１】実施形態１に係る画像表示システムの構成を示す図。
【図２】実施形態１に係る画像表示システムを構成する、画像表示装置、画像データ出力装置、部分画像表示装置の機能図。
【図３】アイコンを示す位置を含んだ部分画像データを生成し、表示する例を示す図。
【図４】アイコンを示す位置を中心とした部分画像データを生成し、表示する例を示す図。
【図５】部分画像データの画像データに対する相対的な解像度を変化させて表示する例を示す図。
【図６】部分画像データの画像データに対する相対的な解像度の変化に応じてアイコンを示す画像の表示解像度を変化させて表示する例を示す図。
【図７】実施形態２に係る画像表示システムを構成する、画像表示装置、画像データ出力装置、画像データ処理装置、部分画像表示装置の機能図。
【図８】実施形態３に係る画像表示システムの構成する、画像表示装置、画像データ出力装置、部分画像表示装置の機能図。
【発明を実施するための形態】
【００２５】
以下、本発明の実施の形態について説明する。なお、本発明の各実施形態に係る画像表示システムは、画像表示装置としてプロジェクターを用い、部分画像表示装置として液晶モニターを用いる画像表示システムであるとする。
【００２６】
〔実施形態１〕
図１は実施形態１に係る画像表示システムの構成を示す図である。図１に示すように、実施形態１に係る画像表示システムは、スクリーンＳＣＲ１に投影を行うプロジェクターＰＪ１（後述では、画像表示装置ＰＪ１と呼ぶこともある。）と、パーソナルコンピューター（ＰＣという）などの画像データ出力装置ＰＣ１と、画像データ出力装置ＰＣ１から画像信号を受信し、部分画像データを表示するモニターＭＴ１(後述では、部分画像表示装置ＭＴ１と呼ぶこともある。）とを有している。
【００２７】
図１では明記していないが、プロジェクターＰＪ１は映像信号を受信するための画像データ受信部を有し、モニターＭＴ１は映像信号を受信するための画像データ受信部を有し、画像データ出力装置ＰＣ１はプロジェクターＰＪ１とモニターＭＴ１の少なくとも２系統に映像を出力するための画像データ送信部を有している。
【００２８】
プロジェクターＰＪ１は入力された映像を投影するための、基本的な機能を有していれば十分である。投影は視聴者側にプロジェクターＰＪ１が存在するフロント投影であっても、視聴者から見てスクリーン面ＳＣＲ１の反対側にプロジェクターＰＪ１が存在するリア投影であっても構わない。本実施形態は投影する画面サイズが視聴者と同等以上の大きさであることが望ましいため、画面の精細感を鑑みて表示解像度が高いプロジェクターＰＪ１を使用している場合において効果が高い。
【００２９】
画像データ出力装置ＰＣ１は、少なくとも２系統の映像出力機能を有している。本例の画像データ出力装置ＰＣ１では、第一の画像データ出力端子、および第二の画像データ出力端子を有している。１系統は、第一の画像データ出力端子とプロジェクターＰＪ１と接続され、投影するべき画像データを出力する。画像データ出力装置ＰＣ１は内部に画像データ処理装置の機能を有する。画像データ出力装置ＰＣ１は画像データ処理プログラムに沿って処理を行うことでその機能を実現する。画像データ処理プログラムは、画像データを処理用のメモリー領域に取得する画像データ取得手段と、画像データの指定された領域を切り出して部分画像データを生成する部分画像データ生成手段と、生成された部分画像データを記憶する部分画像データ記憶部と、モニターＭＴ１に表示される表示内容として部分画像データを表示する部分画像データ表示手段とを有する。この画像データ処理プログラムにより、前述の２系統の映像出力機能のうちの１系統は、第二の画像データ出力端子がモニターＭＴ１と接続され、生成された部分画像データを出力する。
【００３０】
図２は実施形態１に係る画像表示システムの各要素の機能を示すものである。画像データ出力装置ＰＣ１は前述のとおり内部で画像データ処理機能を持ち、プロジェクターＰＪ１に投影を行う画像を生成する画像データ生成部１１、画像データを記憶し、保持する画像データ記憶部１２、画像データを元に部分画像データを生成する部分画像データ生成部１３、生成された部分画像データを記憶し、保持する部分画像データ記憶部１４、画像データをプロジェクターＰＪ１に送信する画像データ送信部１５、部分画像データを生成する際の画像データ内における切出し位置を記憶する切出し座標記憶部１６、部分画像データをモニターＭＴ１に送信する部分画像データ送信部１７を有している。
画像表示装置ＰＪ１は画像データ出力装置ＰＣ１から送信された画像データを取得する画像データ受信部２１、取得した画像データから表示画像を生成する表示画像生成部２２、生成された表示画像を記憶、保持する表示画像記憶部２４、画像表示のための処理を行い、光学機構を制御する表示画像投影部２３を有している。
部分画像表示装置ＭＴ１は、部分画像データ受信部３１、部分表示画像生成部３２、部分表示画像記憶部３４、部分表示画像投影部３３を有している。なお、部分画像表示装置ＭＴ１は画像表示装置ＰＪ１と同じ機能を有しており、入力される画像が部分画像データである点が異なるが、内部処理は変わらない。
【００３１】
図３は本実施形態における部分画像データ生成の手順を示すものである。図３に示した表示画像データ４２は、操作対象となる位置を示すアイコン４３を含む画像を表す画像データである。画像データ出力装置ＰＣ１は、アイコン４３の位置情報に相当するアイコン位置データ４１と、表示画像データ４２を有する。画像データ処理装置５０は、画像データ出力装置ＰＣ１から取得した表示画像データ４２と、部分画像切出し位置情報５１、部分画像データ５２を有する。実施形態１においては画像データ処理装置５０は画像データ出力装置ＰＣ１と同一の装置であり、画像データ処理装置５０の持つ機能はソフトウェアとして実現される。
アイコン位置データ４１はアイコン４３の画面内における座標に相当する。少なくとも水平方向の位置Ｘと、垂直方向の位置Ｙの２値の組み合わせからなる。画像データ処理装置５０は、表示画像データ４２の中からアイコン位置データ４１を含む領域に相当する画像データを抜き出し、部分画像データ５２を生成する。部分画像データ５２は、表示画像データ４２によって表される画像データの一部であり、かつアイコン４３を含む部分画像を表す。部分画像データ５２は部分画像表示装置ＭＴ１に表示される。
【００３２】
部分画像表示装置ＭＴ１に部分画像データ５２を表示する手段は、一般的に知られているディスプレーに画像を表示する手段を用いれば十分である。たとえばＯｐｅｎＧＬやＤｉｒｅｃｔＸといった、広く知られた画像処理ライブラリーを用いることで簡単に実現できる。
【００３３】
部分画像表示装置ＭＴ１が表示可能な解像度と、部分画像データ５２の解像度が異なる場合には画像データ処理装置５０が拡大または縮小処理を行うことで部分画像データ５２の解像度を部分画像表示装置ＭＴ１に合わせることが望ましい。
拡大率をｚ、部分画像データ５２の解像度の水平方向をｘ１、垂直方向をｙ１、部分画像表示装置ＭＴ１の表示可能な解像度の水平方向をｘ２、垂直方向をｙ２とすると、拡大率ｚは、下記式（１）と表すことができる。
ｚ＝ｘ２／ｘ１＝ｙ２／ｙ１・・・（１）
なお、（１）式は部分画像データ５２のアスペクト比が入力画像のアスペクト比と同一である場合である。
この処理は部分画像表示装置ＭＴ１拡大または縮小処理を行って表示する機能を有している場合には部分画像表示装置内ＭＴ１で行っても構わない。
【００３４】
この手順によって画像データ出力装置ＰＣ１からは画像表示装置ＰＪ１へ送られる表示画像データ４２と、その中でアイコン４３の周辺のみを切出した部分画像データ５２がそれぞれ送信される。視聴者はスクリーンＳＣＲ１上にプロジェクターＰＪ１から投影されている投影画像６１を見るが、オペレーターはモニターＭＴ１に表示されているアイコン４３とその周辺の拡大図である投影部分画像７１を見ながら操作することができる。大画面かつ高解像度な映像が表示されている、視聴者にはスクリーンＳＣＲ１上では視認することが難しいアイコン４３の動作を、オペレーターは正確かつ迅速に制御できる効果がある。
【００３５】
図４は本実施形態において、アイコン４３を中心とした部分画像データ５２を生成する例を示したものである。図表の構成要素は図３と共通である。
画像データ処理装置５０は、取得したアイコン４３の位置が部分画像データ５２の中心となるように矩形状の部分画像切出し領域５３を指定し、部分画像データ５２を生成する。
【００３６】
この手順によれば、モニターＭＴ１に表示される部分画像データ５２では常にアイコン４３を中心とした周辺画像が表示されている。オペレーターはスクリーンＳＣＲ１に投影されている投影画像６１とモニターＭＴの投影部分画像７１を比較することで、現在のアイコン４３の位置を素早く認識できる効果がある。
【００３７】
図５は本実施形態において、部分画像データ５２の解像度を変化させた例を示したものである。図表の構成要素は図３と共通である。
画像データ処理装置５０は、ユーザー操作に応じて部分画像データ５２の解像度を変化させ、それを通じて表示画像データ４２内における部分画像データ５２の占める割合を変化させる機能を有し、部分画像データ５２は指定された解像度で生成される。
【００３８】
解像度を変化させるユーザー操作は、画像データ処理装置５０に情報を与えられる手段であれば十分であり、例えばマウスホイールの動作などが好ましい。実施形態１においては画像データ出力装置ＰＣ１と画像データ処理装置５０が同一の装置であるため、オペレーターのマウスホイール操作を検出し、ホイール操作と同期して部分画像データ５２の解像度を変更することで実施が可能である。
【００３９】
この手順によれば、スクリーンＳＣＲ１上の投影画像６１におけるアイコン４３の位置を検索する際に、モニターＭＴ１に投影部分画像７１として表示される範囲がオペレーターの操作に応じて変化する。たとえば部分画像データ５２に表示されているものが繰り返しのテクスチャーパターンである場合、あるいは全領域が同一の色で塗りつぶされている場合などには現在のおよその位置の判別をつけることが難しい場合がある。その際に表示範囲を拡大することによって、アイコン４３の位置の特定を容易にする効果がある。
【００４０】
図６は本実施形態において、部分画像データ５２の解像度に応じてアイコン４３の表示サイズを変更する例を示したものである。図表の構成要素は図３と同一である。
画像データ処理装置５０は、部分画像データ５２の解像度に応じて、アイコン４３の存在する位置に、アイコン４３を示す画像を拡大して上書きし、部分画像データ５２を生成する。
【００４１】
アイコン４３の拡大率Ｚについては例えば前述の拡大率ｚを利用し、下記式（２）とする方法がある。
Ｚ＝１／ｚ・・・（２）
これにより、部分画像表示装置上での見かけのマウスアイコンの大きさは一定に保たれることになる。
【００４２】
モニターＭＴ１のアイコン４３を示す画像は必ずしもスクリーンＳＣＲ１上で視聴者が見ることができるアイコン４３と同一である必要はない。位置を強調するために色や形を変化させた画像を上書きすることとしても良く、同等の効果を有している。
【００４３】
この手順によれば、部分画像データ５２の解像度が大きく、通常のアイコン４３の表示ではモニターＭＴ１上でアイコン４３の位置を判定することが困難な場合においても、十分に視認できる大きさに拡大されたアイコン４３が表示されていることによってオペレーターが素早く操作位置を認識する効果がある。
【００４４】
〔実施形態２〕
前述の実施形態１に係る画像表示システムにおいては、画像データ出力装置ＰＣ１と画像データ処理装置５０が同一の装置であったが、実施形態２に係る画像表示システムにおいては、画像データ出力装置と画像データ処理装置が異なる装置の場合である。
【００４５】
図７は実施形態２に係る画像表示システムの各要素の機能を示すものである。画像データ処理装置ＰＣ２は、画像データ出力装置ＰＣ１からの出力を取得するための画像データ受信部８１と、取得した画像データを記憶し、保持する画像データ記憶部８２、画像データを元に部分画像データを生成する部分画像データ生成部８３、生成された部分画像データを記憶し、保持する部分画像データ記憶部８４、部分画像データを生成する際の画像データ内における切出し位置を記憶する切出し座標記憶部８５、部分画像データをモニターに送信する部分画像データ送信部８６を有している。
【００４６】
画像データ受信部８１は画像表示装置に入力される画像データと同一の信号を受け、それを画像データ記憶部８２に記憶する機能を有している。パーソナルコンピューターによってこの機能を実現する場合には、ＤＶＩ、ＨＤＭＩなどの映像機器に対する信号を受け、画像データとして再編集可能な形式に変換する装置が必要となる。例えば一般的にフレームグラバーと呼ばれる製品で実現可能である。
画像データ記憶部８２、部分画像データ生成部８３、部分画像データ記憶部８４、切出し座標記憶部８５、部分画像データ送信部８６は実施形態１における画像データ出力装置における同名の要素と同じ機能を有している。
【００４７】
画像データ処理装置ＰＣ２に対して信号を入力するためには、画像データ出力装置ＰＣ１と画像表示装置ＰＪ１の間に信号分配器を挿入することによって画像表示装置ＰＪ１の投影内容に影響を与えることなく実現できる。
【００４８】
実施形態２は画像表示装置ＰＪ１が複数の入力手段を組み合わせて高解像度の映像を表示する機構である場合などに、画像データ出力装置からの出力手段が全て画像表示装置に接続せざるを得ない場合などに有効となるものである。
【００４９】
〔実施形態３〕
実施形態１および実施形態２に係る画像表示システムにおいては、画像データ処理装置５０，ＰＣ２によって部分画像を生成していたが、実施形態３に係る画像表示システムにおいては、部分画像データ生成装置が部分画像表示装置上に存在する場合である。
【００５０】
図８は実施形態３に係る画像表示システムの各要素の機能を示すものである。画像データ出力装置ＰＣ１はアイコンの位置から決定される切出し座標を部分画像表示装置ＭＴ１に送信するための切出し座標送信部１８をさらに有し、画像表示装置ＰＪ１は入力された画像データをそのまま出力する、スルー出力機能を有する画像データ出力部２５をさらに有し、部分画像表示装置ＭＴ１は、入力画像の中から部分画像に相当する領域を決定するための切出し座標を外部から取得するための、切出し座標受信部３５をさらに有し、表示部分画像生成部３２は受信した画像データと切出し座標から部分画像データを生成する。
【００５１】
画像表示装置ＰＪ１から画像データ出力部２５を通じて出力された画像データは、部分画像表示装置ＭＴ１で受信される。これはプロジェクターに搭載されているモニター出力機能を利用することによって実現できるため、ハードウェアに特別な改造を必要としない。
【００５２】
切出し座標受信部は画像データ出力装置ＰＣ１の切出し座標送信部１８と接続されていて、切出し座標に関する情報を受信する。これは部分画像表示装置ＭＴ１に備わっている通信用の機能を利用することが好ましく、たとえばシリアルケーブルやＬＡＮケーブルなどがインターフェースとして利用できる。
【００５３】
実施形態３は部分画像表示装置ＭＴ１がプロジェクターであり、内部に拡大および縮小機能が内蔵されている場合において有効となるものであり、画像データ処理装置５０，ＰＣ２が不要になるため画像表示システムの構成がシンプルとなるという利点を持つものである。
【００５４】
本実施形態はアイコンの位置を素早く検出し、正確に操作できる効果だけでなく、拡大表示機能としての側面もある。画像データ内の文字列やインターフェースなどが視聴者もしくはオペレーターから視認することが困難なほどに小さく表示されている場合においては、部分画像表示装置ＭＴ１に出力された映像を確認することでその内容を読み取ることが可能となるといった効果もある。
【００５５】
なお、本発明は前述の実施の形態に限られるものではなく、本発明の要旨を逸脱しない範囲で種々変形実施可能となるものである。
【００５６】
（１）上記した実施形態に係る画像表示システムにおいては、大画面、高精細な画像表示装置としてプロジェクターを例示したが、これはＣＲＴなどの直視型ディスプレーであっても構わない。このように表示装置が変わったとしても、本発明の構成は何ら変えることなく実施することが可能である。
【００５７】
（２）上記した実施形態に係る画像表示システムにおいては、大画面、高精細な画像表示装置としてプロジェクターを例示したが、複数の画像表示装置を並べて構成されたマルチディスプレー装置であっても良い。このように複数の画像表示装置を並べた場合には本発明における画像表示装置が複数になり、そこに各々の相対的な表示位置を元にして画像処理装置から投影画像を分配することで本発明の構成を損なわずに実施することができる。また、複数の画像表示装置としてはプロジェクターであっても、ＣＲＴなどの直視型ディスプレーであっても構わない。
【００５８】
（３）上記した実施形態に係る画像表示システムにおいては、アイコン４３は操作対象となる位置を示す機能を有するものであれば良く、マウス、トラックボール、タッチパッド等の種々のポインティングデバイスによるアイコンを用いることが可能である。
【符号の説明】
【００５９】
ＰＪ１・・・画像表示装置、ＳＣＲ１・・・スクリーン、ＰＣ１・・・画像データ出力装置、ＰＣ２，５０・・・画像データ処理装置、ＭＴ１・・・部分画像表示装置、１１・・・画像データ生成部、１２・・・画像データ記憶部、１３・・・部分画像データ生成部、１４・・・部分画像データ記憶部、１５・・・画像データ送信部、１６・・・切出し座標記憶部、１７・・・部分画像データ送信部、１８・・・切り出し座標送信部、２１・・・画像データ受信部、２２・・・表示画像生成部、２３・・・表示画像投影部、２４・・・表示画像記憶部、２５・・・画像データ出力部、３１・・・部分画像データ受信部、３２・・・表示部分画像生成部、３３・・・表示部分画像投影部、３４・・・表示部分画像記憶部、３５・・・切り出し座標受信部、４１・・・アイコン位置データ、４２・・・表示画像データ、４３・・・アイコン、５１・・・部分画像切出し位置情報、５２・・・部分画像データ、６１・・・投影画像、７１・・・投影部分画像、８１・・・画像データ受信部、８２・・・画像データ記憶部、８３・・・部分画像データ生成部、８４・・・部分画像データ記憶部、８５・・・切出し座標記憶部、８６・・・部分画像データ送信部。
【図１】
2010217966.tif 000003
【図２】
2010217966.tif 000004
【図３】
2010217966.tif 000005
【図４】
2010217966.tif 000006
【図５】
2010217966.tif 000007
【図６】
2010217966.tif 000008
【図７】
2010217966.tif 000009
【図８】
2010217966.tif 000010